(57)【要約】【課題】清掃に係る作業性を向上するとともに、異なるタイプの飲料抽出パックにも対応させることも可能であり、かつ、高価な部品を使用することなく、飲料抽出パックの抽出が可能なセット状態とする。【解決手段】内容器１３内に貯留した液体を加熱する加熱手段（ヒータ１４，１５）と、内容器１３内の液体を圧送する給水手段（液体圧送ポンプ１６）と、給水経路に接続した注入用針２２と、外装体１１の正面側に設けられ密閉された飲料抽出パック１Ａ，１Ｂを着脱可能に装着することにより該飲料抽出パック１Ａ，１Ｂに注入用針２２を貫通させて液体が注入されるパック装着機構３７とを備えた飲料抽出機において、外装体１１を、内容器１３、加熱手段および給水手段を有する本体ユニット１０と、パック装着機構３７を有するパック装着ユニット３２Ａ，３２Ｂとに分割し、これらを着脱可能に取り付けた構成とする。【選択図】  図１
2004173823.tif 000002
【特許請求の範囲】
【請求項１】
外装体内に設けた内容器と、該内容器内に貯留した液体を加熱する加熱手段と、前記内容器内の液体を所定圧力で圧送する給水手段と、該給水手段に接続される給水経路に接続した注入用針と、前記外装体の正面側に設けられ密閉された飲料抽出パックを着脱可能に装着することにより該飲料抽出パックに前記注入用針を貫通させて液体が注入されるパック装着機構とを備えた飲料抽出機において、
前記外装体を、前記内容器、加熱手段および給水手段を有する本体ユニットと、前記パック装着機構を有するパック装着ユニットとに分割し、これらを着脱可能に取り付けたことを特徴とする飲料抽出機。
【請求項２】
前記本体ユニットの正面上部に、前方に突出するノーズ部を設けるとともに、該ノーズ部の下面に前記注入用針を固定した構成とし、
前記パック装着機構は、
一側面の開口に開閉可能な蓋体を装着するとともに、上面に前記注入用針を貫通させる本体カバーと、
前記本体カバーに回動可能かつ上下方向に移動可能に装着するとともに、前記蓋体に連動部材を介して連動可能に装着したガイド部材と、
前記飲料抽出パックの上端を位置決め保持して前記ガイド部材に装着する保持部材とを備え、
前記蓋体を開いた状態で前記保持部材に飲料抽出パックを装着し、前記蓋体を閉じることにより、前記ガイド部材が本体カバー内に移動した後、上方に移動して、前記飲料抽出パックの上端を注入用針が貫通するようにしたことを特徴とする請求項１に記載の飲料抽出機。
【請求項３】
前記本体ユニット内に配設した給水経路の端部に継手部材を配設するとともに、該継手部材の接続端を本体ユニットの正面から露出させた構成とし、
前記パック装着機構は、
一側面の開口に開閉可能な蓋体を装着した本体カバーと、
前記本体カバーに回動可能かつ上下方向に移動可能に装着するとともに、前記蓋体に連動部材を介して連動可能に装着したガイド部材と、
前記飲料抽出パックの上端を位置決め保持して前記ガイド部材に装着する保持部材と、
前記本体カバーに固定され、その一端が背面側に突出して前記継手部材に着脱可能に接続されるとともに、他端に前記注入用針を接続し、前記給水経路の一部を構成する接続管とを備え、
前記蓋体を開いた状態で前記保持部材に飲料抽出パックを装着し、前記蓋体を閉じることにより、前記ガイド部材が本体カバー内に移動した後、上方に移動して、前記飲料抽出パックの上端を注入用針が貫通するようにしたことを特徴とする請求項１に記載の飲料抽出機。
【請求項４】
前記保持部材を前記ガイド部材に対して上下方向に移動可能に装着し、
前記ガイド部材の底に、前記飲料抽出パックの底を貫通させる抽出用針を貫通させて固定するとともに、前記保持部材を上向きに付勢する付勢部材を設け、
前記蓋体を閉じることにより、前記抽出用針が前記飲料抽出パックの底を貫通するようにしたことを特徴とする請求項２または請求項３に記載の飲料抽出機。
【請求項５】
前記パック装着機構は、
上面の開口に開閉可能な蓋体を装着するとともに、その蓋体に前記給水経路に接続部材を介して接続した注入用針を固定した本体カバーと、
前記飲料抽出パックの上端を位置決め保持して前記本体カバー内に装着する保持部材とを備え、
前記蓋体を開いた状態で前記保持部材を介して飲料抽出パックを本体カバー内に装着し、前記蓋体を閉じることにより、前記飲料抽出パックの上端を注入用針が貫通するようにしたことを特徴とする請求項１に記載の飲料抽出機。
【請求項６】
前記本体ユニットの正面上部に、前方に突出するノーズ部を回動可能または上下方向に移動可能に設けるとともに、該ノーズ部の下面に前記給水経路に接続部材を介して接続した注入用針を固定した構成とし、
前記パック装着機構は、
上面開口の本体カバーと、
前記飲料抽出パックの上端を位置決め保持して前記本体カバー内に装着する保持部材とを備え、
前記本体カバーの上端開口を露出させた状態で前記保持部材を介して飲料抽出パックを本体カバー内に装着し、前記ノーズ部によって本体カバーの上端開口を閉じることにより、前記飲料抽出パックの上端を注入用針が貫通するようにしたことを特徴とする請求項１に記載の飲料抽出機。
【請求項７】
前記保持部材を前記本体カバーに対して上下方向に移動可能に装着し、
前記本体カバーの底に、前記飲料抽出パックの底を貫通させる抽出用針を貫通させて固定するとともに、前記保持部材を上向きに付勢する付勢部材を設け、
前記本体カバーの上端開口を閉じることにより、前記抽出用針が前記飲料抽出パックの底を貫通するようにしたことを特徴とする請求項５または請求項６に記載の飲料抽出機。
【請求項８】
前記給水経路に、前記外装体の外部に排出する排水管を分岐接続するとともに、該排水管に所定圧力を越えると開く常閉の弁を介設したことを特徴とする請求項１乃至請求項７のいずれか１項に記載の飲料抽出機。
【請求項９】
前記排水管の先端が、抽出した飲料を注ぐコップの開口に位置するように配管したことを特徴とする請求項８に記載の飲料抽出機。
【発明の詳細な説明】
【０００１】
【発明の属する技術分野】
本発明は、コーヒー粉末などを容器やシートに包装した飲料抽出パックを使用して飲料を注出する飲料抽出機に関するものである。
【０００２】
【従来の技術】
近年、２０〜３０名程度の小オフィス用または一般家庭用に適した小型で、すぐに美味しく飲め、後片付けの簡単な使い勝手のよい飲料抽出機が提供されている。この飲料抽出機は、従来のドリップ方式とは異なり、コーヒーなどの粉末を容器やシートによって包装した飲料抽出パックを用い、所定の圧力を加えながら所定温度のお湯を圧送することにより、短時間で抽出できるようにしたものである。
【０００３】
ここで、図２１（Ａ）に示すように、容器２を用いた飲料抽出パック１Ａは、上端開口の円筒状の容器２を用い、この容器２の内部にフィルタ３を配設するとともに、このフィルタ３内にコーヒーなどの粉末を収容させた状態で、前記容器２の開口を蓋シート４によって密閉したものである。
【０００４】
図２１（Ｂ）に示すように、シートを用いた飲料抽出パック１Ｂは、表裏一対の矩形状シート５を備え、これらの間にフィルタ６を配設するとともに、このフィルタ６内にコーヒーなどの粉末を収容させた状態で、４方をシールしたものである。この飲料抽出パック１Ｂの上端中央には注入用のノズル部７が設けられている。また、前記矩形状シート５は、下端を感圧シールまたは感熱シールすることにより、圧力または熱を受けると接着力が弱くなり液体や気体の圧力で剥離される構成としている。
【０００５】
これらの飲料抽出パック１Ａ，１Ｂのうち、図２１（Ｂ）に示す飲料抽出パック１Ｂを使用した飲料抽出機の先行技術文献情報としては次のものがある。
【０００６】
【特許文献１】
特開２００１−７０１６３号公報
【０００７】
この特許文献１の飲料抽出機は、液体を収納する容器２と、この容器２内の液体を加熱する加熱手段と、容器２の上部を覆う蓋と、前記容器２内の液体を送り出す送水装置と、この送水装置より送り出された液体により抽出される飲料抽出パック１Ｂを装着する固定部とを備えた構成としている。
【０００８】
前記固定部は、本体に対して開閉可能に取り付けた保持体からなり、開いた状態で前記飲料抽出パック１Ｂのノズル部７を位置決めし、閉じることにより、前記ノズル部７が容器２に送水装置に接続された注入用針と対向する構成とされている。そして、抽出を開始するためにスタートボタンを押すと、前記注入用針が下降して飲料抽出パック１Ｂのノズル部７を突き破り、この注入用針からお湯が注入される構成としている。
【０００９】
なお、容器２を用いた飲料抽出パック１Ａを使用する飲料抽出機は、特許文献１と同様に、飲料抽出パック１Ａを配設する開閉可能な固定部を備え、この固定部に飲料抽出パック１Ａを配置して閉じることにより、上方から注入用針が電動式で駆動して蓋シート４を突き破るとともに、下方から抽出用針が電動式で駆動して樹脂製の容器２の底を突き破る構成としている。
【００１０】
【発明が解決しようとする課題】
しかしながら、従来の飲料抽出機は、抽出部分である飲料抽出パック１の固定部を清掃する場合、非常に面倒である。また、異なる構成の飲料抽出パック１Ａ，１Ｂのうち、いずれか１つのタイプしか使用することができないという問題がある。
【００１１】
さらに、従来の飲料抽出機は、注入用針や抽出用針を電動式で上下方向に駆動させるため、その駆動機構が非常に高価であり、コスト高になるという問題がある。
【００１２】
そこで、本発明では、清掃に係る作業性を向上するとともに、異なるタイプの飲料抽出パックにも対応させることも可能であり、かつ、高価な部品を使用することなく、飲料抽出パックの抽出が可能な飲料抽出機を提供することを課題とするものである。
【００１３】
【課題を解決するための手段】
前記課題を解決するため、本発明の飲料抽出機は、外装体内に設けた内容器と、該内容器内に貯留した液体を加熱する加熱手段と、前記内容器内の液体を所定圧力で圧送する給水手段と、該給水手段に接続される給水経路に接続した注入用針と、前記外装体の正面側に設けられ密閉された飲料抽出パックを着脱可能に装着することにより該飲料抽出パックに前記注入用針を貫通させて液体が注入されるパック装着機構とを備えた飲料抽出機において、前記外装体を、前記内容器、加熱手段および給水手段を有する本体ユニットと、前記パック装着機構を有するパック装着ユニットとに分割し、これらを着脱可能に取り付けたものである。
【００１４】
前記飲料抽出機によれば、本体ユニットをパック装着ユニットと分割して形成しているため、飲料の抽出部分であるため非常に汚れ易い部分であるパック装着ユニットの清掃性を向上できる。しかも、２種の飲料抽出パックに対応するパック装着ユニットを形成することにより、本体ユニットを共用し、安価に２種の飲料抽出パックを使用することができる。
【００１５】
この飲料抽出機では、前記本体ユニットの正面上部に、前方に突出するノーズ部を設けるとともに、該ノーズ部の下面に前記注入用針を固定した構成とし、前記パック装着機構は、一側面の開口に開閉可能な蓋体を装着するとともに、上面に前記注入用針を貫通させる本体カバーと、前記本体カバーに回動可能かつ上下方向に移動可能に装着するとともに、前記蓋体に連動部材を介して連動可能に装着したガイド部材と、前記飲料抽出パックの上端を位置決め保持して前記ガイド部材に装着する保持部材とを備え、前記蓋体を開いた状態で前記保持部材に飲料抽出パックを装着し、前記蓋体を閉じることにより、前記ガイド部材が本体カバー内に移動した後、上方に移動して、前記飲料抽出パックの上端を注入用針が貫通するように構成することが好ましい。
【００１６】
または、前記本体ユニット内に配設した給水経路の端部に継手部材を配設するとともに、該継手部材の接続端を本体ユニットの正面から露出させた構成とし、前記パック装着機構は、一側面の開口に開閉可能な蓋体を装着した本体カバーと、前記本体カバーに回動可能かつ上下方向に移動可能に装着するとともに、前記蓋体に連動部材を介して連動可能に装着したガイド部材と、前記飲料抽出パックの上端を位置決め保持して前記ガイド部材に装着する保持部材と、前記本体カバーに固定され、その一端が背面側に突出して前記継手部材に着脱可能に接続されるとともに、他端に前記注入用針を接続し、前記給水経路の一部を構成する接続管とを備え、前記蓋体を開いた状態で前記保持部材に飲料抽出パックを装着し、前記蓋体を閉じることにより、前記ガイド部材が本体カバー内に移動した後、上方に移動して、前記飲料抽出パックの上端を注入用針が貫通するように構成することが好ましい。
【００１７】
これらのパック装着ユニットは、前記保持部材を前記ガイド部材に対して上下方向に移動可能に装着し、前記ガイド部材の底に、前記飲料抽出パックの底を貫通させる抽出用針を貫通させて固定するとともに、前記保持部材を上向きに付勢する付勢部材を設け、前記蓋体を閉じることにより、前記抽出用針が前記飲料抽出パックの底を貫通するように構成することが好ましい。
【００１８】
または、前記パック装着機構は、上面の開口に開閉可能な蓋体を装着するとともに、その蓋体に前記給水経路に接続部材を介して接続した注入用針を固定した本体カバーと、前記飲料抽出パックの上端を位置決め保持して前記本体カバー内に装着する保持部材とを備え、前記蓋体を開いた状態で前記保持部材を介して飲料抽出パックを本体カバー内に装着し、前記蓋体を閉じることにより、前記飲料抽出パックの上端を注入用針が貫通するように構成してもよい。
【００１９】
または、前記本体ユニットの正面上部に、前方に突出するノーズ部を回動可能または上下方向に移動可能に設けるとともに、該ノーズ部の下面に前記給水経路に接続部材を介して接続した注入用針を固定した構成とし、前記パック装着機構は、上面開口の本体カバーと、前記飲料抽出パックの上端を位置決め保持して前記本体カバー内に装着する保持部材とを備え、前記本体カバーの上端開口を露出させた状態で前記保持部材を介して飲料抽出パックを本体カバー内に装着し、前記ノーズ部によって本体カバーの上端開口を閉じることにより、前記飲料抽出パックの上端を注入用針が貫通するように構成してもよい。
【００２０】
これらのパック装着ユニットは、前記保持部材を前記本体カバーに対して上下方向に移動可能に装着し、前記本体カバーの底に、前記飲料抽出パックの底を貫通させる抽出用針を貫通させて固定するとともに、前記保持部材を上向きに付勢する付勢部材を設け、前記本体カバーの上端開口を閉じることにより、前記抽出用針が前記飲料抽出パックの底を貫通するように構成することが好ましい。
【００２１】
これらのパック装着ユニットは、電動式の駆動機構を適用することなく、蓋体を閉じるだけで、その閉じ動作に連動させて飲料抽出パックを抽出可能な状態にセットできるようにしているため、製品自体を安価に提供することが可能になる。また、電気部品を用いていないため、水で丸洗いすることが可能であり、清掃性をより向上することができる。
【００２２】
さらに、前記飲料抽出機では、前記給水経路に、前記外装体の外部に排出する排水管を分岐接続するとともに、該排水管に所定圧力を越えると開く常閉の弁を介設することが好ましい。
【００２３】
なお、前記排水管は、本体ユニットとパック装着ユニットとが一体に形成された飲料抽出機に適用することも可能である。即ち、外装体内に設けた内容器と、該内容器内に貯留した液体を加熱する加熱手段と、前記内容器内の液体を所定圧力で圧送する給水手段と、前記外装体の正面側に設けられ密閉された飲料抽出パックを着脱可能に装着することによりその飲料抽出パックに前記給水手段からの液体が給水経路を介して注入されるパック装着機構とを備えた飲料抽出機において、前記給水経路に、前記外装体の外部に排出する排水管を分岐接続するとともに、該排水管に所定圧力を越えると開く常閉の弁を介設した構成としてもよい。
【００２４】
このようにすれば、例えば、飲料抽出パック内のフィルタが目詰まりしていたり、注入用針や抽出用針による穴開け不良が生じている状態で抽出を開始し、給水経路に過剰な圧力が加わった場合、前記排水管を介してお湯を外部に排水することができる。
【００２５】
このように排水管を設ける構成とした飲料抽出機では、前記排水管の先端が、抽出した飲料を注ぐコップの開口に位置するように配管することが好ましい。このようにすれば、排水によって周囲が濡れることを防止できる。
【００２６】
【発明の実施の形態】
以下、本発明の実施の形態を図面に従って説明する。
図１から図１０は本発明の第１実施形態に係る飲料抽出機を示す。この飲料抽出機は、図１に示すように、大略、内容器１３、加熱手段および給水手段を有する本体ユニット１０と、飲料抽出パック１Ａ，１Ｂを着脱可能に装着するパック装着ユニット３２Ａ，３２Ｂとからなり、これらパック装着ユニット３２Ａ，３２Ｂを前記本体ユニット１０の正面に選択的に着脱可能に装着したものである。
【００２７】
具体的には、図２に示すように、前記本体ユニット１０は、その外装体１１の上部に蓋１２を回動可能に取り付けたもので、その内部には、液体である水を貯留する内容器１３が配設されている。この内容器１３の底には、この内容器１３内に貯留した水を沸騰させる加熱手段として湯沸ヒータ１４と、所定温度で保温する保温ヒータ１５とが配設されている。
【００２８】
また、外装体１１と内容器１３との間には、該内容器１３内の水を後述するパック装着機構部３７に所定圧力で圧送する給水手段として、液体圧送ポンプ１６と気体圧送ポンプ１７と三方弁１８とが設けられている。前記液体圧送ポンプ１６は、内容器１３内のお湯を所定圧力で送出するものである。前記気体圧送ポンプ１７は、液体圧送ポンプ１６の停止後に動作され、給水経路を構成する揚水管２０内に残留するお湯を空気圧によって全て排出するためのものである。前記三方弁１８は、液体圧送ポンプ１６または気体圧送ポンプ１７の動作に連動し、選択的にそれぞれの経路に接続状態を切り替えるためのものである。なお、図中１９は、内容器１３内の湯温を検出するための温度センサである。
【００２９】
さらに、前記外装体１１の正面には、その上部に前方に突出するノーズ部１１ａが設けられている。このノーズ部１１ａの内部には、前記揚水管２０の上端に接続され、給水経路の一部を構成する接続部材２１が配設され、この接続部材２１の先端に中空状の注入用針２２が配設されている。この注入用針２２は、ノーズ部１１ａの下面から突出されている。また、このノーズ部１１ａの内部には、前記ヒータ１４，１５、ポンプ１６，１７および三方弁１８を制御する制御基板２３が配設されるとともに、前記ポンプ１６，１７を動作させるための抽出スイッチ２４が配設されている。
【００３０】
さらにまた、前記外装体１１の正面において、前記ノーズ部１１ａの下部には、パック装着ユニット３２Ａ，３２Ｂを着脱可能に取り付けるための被連結部が設けられている。この被連結部は、外装体１１の正面に設けた装着孔２５と、外装体１１の側面に設けたネジ挿通孔２６とからなる。
【００３１】
本実施形態では、前記給水経路を構成する前記接続部材２１に、排水管２７が分岐接続されている。この排水管２７は、外装体１１に設けた前記ノーズ部１１ａの下部から外部に突出し、その先端が後述するパック装着ユニット３２Ａ，３２Ｂの台座部３６に載置するコップの開口に位置するように配管されている。また、ノーズ部１１ａ内に位置する排水管２７の基部には、所定圧力を越えると開く常閉の弁２８が介設されている。
【００３２】
前記弁２８は、図３に示すように、ケーシング２９内にパッキン３０ａを配設した弁本体３０と、該弁本体３０を上向きに付勢するスプリング３１とを配設した機械式のものである。なお、弁２８は、圧力センサと電磁弁とを用いた電気式で構成してもよい。
【００３３】
図２１（Ａ）に示す容器タイプの飲料抽出パック１Ａを着脱可能に装着するパック装着ユニット３２Ａは、図４および図５に示すように、大略、前記外装体１１のノーズ部１１ａの下側に固定される本体カバー３３と、該本体カバー３３におけるパック装着機構部３７の内部に装着されたガイド部材４９Ａと、該ガイド部材４９Ａに装着された第１保持部材６１とからなる。
【００３４】
前記本体カバー３３は、前記本体ユニット１０の外装体１１において、背部に位置する装着部３４に、台座部３６とパック装着機構部３７とを一体的に設けたものである。
【００３５】
前記装着部３４は、前記本体ユニット１０の外装体１１においてノーズ部１１ａの下部の全高に略一致する全高を有し、その背面には前記装着孔２５に挿通する連結部として、ネジ孔３５ａを備えた装着片３５が設けられている。
【００３６】
前記台座部３６は、抽出される飲料を入れるコップなどを載置するためのものである。
【００３７】
前記パック装着機構部３７は、前側面および下面を開口したもので、その前面側開口の下端に軸受部３８を設け、この軸受部３８に開閉可能に蓋体４３を装着したものである。このパック装着機構部３７には、その上面から前記装着部３４にかけて延び、前記注入用針２２および排水管２７を挿通させる挿通溝３９が設けられている。また、このパック装着機構部３７の上面には、注入用針２２が位置する挿通溝３９の端部を中心とし、後述する第１保持部材６１内に配置する飲料抽出パック１Ａの上端縁を圧接するための円環状リブ４０が下向きに突設されている。なお、この円環状リブ４０は、前記挿通溝３９と対応する位置に溝が設けられている。
【００３８】
また、このパック装着機構部３７の両側壁の内面には、後述するガイド部材４９Ａを回動可能かつ上下方向に移動可能に軸着するための溝状軸受部４１が下端近傍から上方に延びるように設けられている。また、この溝状軸受部４１の上部には、ガイド部材４９Ａの上下方向の姿勢を維持するようにガイドする一対のガイドリブ４２ａ，４２ｂが設けられている。前側に位置するガイドリブ４２ａは、溝状軸受部４１の上端から所定間隔をもった上方位置から上向きに延びるように形成されている。また、後側に位置するガイドリブ４２ｂは、溝状軸受部４１の上端から上向きに延びるように形成されている。
【００３９】
前記蓋体４３は、軸受部３８に軸着する軸部４４と、該ガイド部材４９Ａの開閉動作にガイド部材４９Ａを連動させて移動させる連動部材４６を軸着する軸受部４５とを設けたものである。
【００４０】
前記連動部材４６は、前記軸受部４５に軸着する軸孔４７ａを備えた軸部４７と、該軸部４７の両側から突出し、ガイド部材４９Ａの上部両側を回動可能に連結保持する軸受孔４８ａを備えたアーム部４８とからなる略コ字形状のものである。
【００４１】
なお、前記軸受部４５の位置は、図６（Ｂ）に示すように、蓋体４３の回動によりアーム部４８の先端が前記ガイドリブ４２ｂに当接する位置に変位した状態で、軸部がアーム部４８の先端（軸着位置）より低くなるように構成している。言い換えれば、蓋体４３の回動によりアーム部４８の先端がガイドリブ４２ｂまで変位した状態で、該アーム部４８が先端に向けて上向きに傾斜するように構成されている。
【００４２】
前記ガイド部材４９Ａは、前記本体カバー３３の溝状軸受部４１に回動可能かつ上下方向に移動可能に装着され、かつ、前記蓋体４３に前記連動部材４６を介して連動可能に装着されるものである。具体的には、このガイド部材４９Ａは、下端に位置するベース部５０と、該ベース部５０の両側から上向きに突出した側壁部５７とからなる略凹字形状のものである。
【００４３】
前記ベース部５０は、その中央部に第１保持部材６１の下方への移動を抑止するための円筒状リブ５１を備えている。また、この円筒状リブ５１の中央には、第１保持部材６１の挿通軸６４を挿通させる挿通孔５２が設けられている。この挿通孔５２の周囲には、第１保持部材６１を上向きに付勢する付勢部材であるスプリング５３を位置決めする突部５４が円環状に突設されている。さらに、前記円筒状ガイドリブの内部には、その偏心位置に筒部５５が設けられ、この筒部５５内に中空状の抽出用針５６が貫通して固定されている。
【００４４】
前記側壁部５７は、前記ベース部５０の両側から略コ字形状に突設されている。これら側壁部５７の外側下部には、前記溝状軸受部４１に軸着するための軸部５８が突設されている。また、この側壁部５７の外側上部には、前記連動部材４６のアーム部４８を貫通させて軸着するとともに、前記ガイドリブ４２ａ，４２ｂ間に挿通する軸部５９が突設されている。さらに、この側壁部５７の内側には、図１に示す蓋体４３を閉じた状態において、前記第１保持部材６１を上下方向に移動可能に装着し、その移動方向をガイドするためのガイド部６０が設けられている。このガイド部６０の下端は、前記円筒状リブ５１と連続されている。
【００４５】
前記第１保持部材６１は、内部に飲料抽出パック１Ａを着脱可能に収容し、その上端を位置決め保持して前記ガイド部材４９Ａに装着する容器からなる。この第１保持部材６１の下端外周縁には、前記円筒状リブ５１に外嵌する円筒部６２が設けられている。また、第１保持部材６１の底には、前記抽出用針５６との対応位置に貫通孔６３が設けられている。さらに、第１保持部材６１の底には、ガイド部材４９Ａの挿通孔５２に挿通される挿通軸６４が突設されている。この挿通軸６４は、挿通孔５２に挿通した状態でネジ止めすることにより抜け止めを図り、前記スプリング５３により付勢される該第１保持部材６１をガイド部材４９Ａの所定位置で保持するものである。さらにまた、第１保持部材６１の外周部には、一対のガイド板６５が対向位置に設けられ、これらの間に前記ガイド部６０を挿通させる構成としている。
【００４６】
本実施形態では、断面逆Ｌ字形状をなす取り外し操作用のフランジ部材６６が設けられ、このフランジ部材６６を第１保持部材６１の上端縁に装着した状態で飲料抽出パック１Ａを配置する構成としている。これにより、ユーザは、お湯の注入により熱くなった飲料抽出パック１Ａを直接持つことなく、取り外すことができるように構成している。
【００４７】
図２１（Ｂ）に示す容器タイプの飲料抽出パック１Ｂを着脱可能に装着するパック装着ユニット３２Ｂは、図８および図９に示すように、大略、パック装着ユニット３２Ａと同様に、本体カバー３３とガイド部材４９Ｂと第２保持部材６８とからなる。そのうち、本体カバー３３とガイド部材４９Ｂはパック装着ユニット３２Ａと略同様であり、第２保持部材６８はパック装着ユニット３２Ａと大きく相違する。そのため、同一構成の部分は同一符号を付して詳細な説明は省略し、以下では相違部分のみを説明する。
【００４８】
このパック装着ユニット３２Ｂの本体カバー３３は、パック装着ユニット３２Ａと同様に装着部３４に台座部３６とパック装着機構部３７とを一体的に設けたもので、前記パック装着機構部３７に円環状リブ４０を設けない構成とした点でのみ相違する。
【００４９】
また、パック装着ユニット３２Ｂのガイド部材４９Ｂは、パック装着ユニット３２Ａと同様にベース部５０と側壁部５７とからなる略凹字形状のものである。このガイド部材４９Ｂのベース部５０には、その中央に矩形状に開口した大きな抽出用孔６７が設けられている。また、このガイド部材４９Ｂの側壁部５７はガイド部６０を設けない構成とした点でのみ相違する。
【００５０】
さらに、パック装着ユニット３２Ｂの第２保持部材６８は、前記ガイド部材４９Ｂの上端に着脱可能に装着する蓋状のものである。この第２保持部材６８は、一対の側壁部５７の外形と一致する略八角形状の板からなり、その下面に両側には、ガイド部材４９Ｂの側壁部５７の内面に係合するリブ６９が設けられている。また、この第２保持部材６８には、飲料抽出パック１Ｂの上端であるノズル部７の首部分を挿通して位置決め保持する挿通溝７０が設けられている。
【００５１】
次に、この飲料抽出機の使用方法について説明する。
まず、図２１（Ａ）に示す飲料抽出パック１Ａを用いてコーヒーなどの飲料を抽出する場合、ユーザは、パック装着ユニット３２Ａを本体ユニット１０に装着する。具体的には、パック装着ユニット３２Ａの装着片３５を本体ユニット１０の装着孔２５に挿入し、ネジ挿通孔２６から図示しないネジを螺合することにより離脱不可能に装着する。
【００５２】
そして、図５に示すように、パック装着機構部３７の蓋体４３を開いた状態とする。これにより、ガイド部材４９Ａとともに第１保持部材６１が連動部材４６を介して蓋体４３に連動し、軸部５８を中心として開口した前側に向けて傾斜することにより、前記第１保持部材６１の上端開口が露出する。
【００５３】
この状態で、フランジ部材６６の内部に飲料抽出パック１Ａを配置するとともに、これらを第１保持部材６１の内部に配置する。なお、フランジ部材６６を第１保持部材６１の上端縁に配置した状態で、飲料抽出パック１Ａを装着してもよい。
【００５４】
ついで、ユーザは、開いた状態の蓋体４３を背面側に押圧して閉じる。これにより、図６（Ａ）に示すように、連動部材４６を介してガイド部材４９Ａが内向きに押圧され、このガイド部材４９Ａの軸部５８を中心として飲料抽出パック１Ａを装着した第１保持部材６１が一緒に本体カバー３３内に回動しながら収容される。
【００５５】
この回動は、図６（Ｂ）に示すように、ガイド部材４９Ａの軸部５９が本体カバー３３のガイドリブ４２ｂに当接することにより停止する。なお、この状態では、前述のように、連動部材４６のアーム部４８は、その先端（背面方向）に向けて傾斜した状態をなす。
【００５６】
そのため、蓋体４３を更に押圧することにより、図７（Ａ）に示すように、ガイド部材４９Ａは、軸部５９がガイドリブ４２ａ，４２ｂ間に規制されながら、また、軸部５８が溝状軸受部４１に沿って、上向きに移動する。
【００５７】
そして、前記ガイド部材４９Ａの上向きの移動により、飲料抽出パック１Ａの上端が注入用針２２に達すると、該注入用針２２が飲料抽出パック１Ａの蓋シートを突き破る。なお、飲料抽出パック１Ａの上向きの移動は、図示のように、本体カバー３３の円環状リブ４０に当接することにより停止する。
【００５８】
ついで、ユーザは、蓋体４３を更に押圧する。これにより、図７（Ｂ）に示すように、飲料抽出パック１Ａおよび第１保持部材６１は、円環状リブ４０との当接により移動しないが、ガイド部材４９Ａのみがスプリング５３の付勢力に抗しながら上向きに移動する。このようにガイド部材４９Ａのみが上向きの移動すると、ガイド部材４９Ａに固定した抽出用針５６が第１保持部材６１の貫通孔６３を通って、飲料抽出パック１Ａの容器２の底を突き破る。
【００５９】
その後、本体カバー３３の前面開口が蓋体４３によって完全に閉塞される。
【００６０】
一方、図２１（Ｂ）に示す飲料抽出パック１Ｂを用いてコーヒーなどの飲料を抽出する場合、ユーザは、前記パック装着ユニット３２Ａの場合と同様にしてパック装着ユニット３２Ｂを本体ユニット１０に離脱不可能に装着する。
【００６１】
そして、図９に示すように、前記と同様に、パック装着機構部３７の蓋体４３を開いた状態とする。これにより、ガイド部材４９Ｂが連動部材４６を介して蓋体４３に連動し、その上端が前側に向けて傾斜する。この状態で、第２保持部材６８の挿通溝７０に飲料抽出パック１Ｂを配置し、この状態で第２保持部材６８をガイド部材４９Ｂの上端に装着する。
【００６２】
その後、パック装着ユニット３２Ａと同様に、蓋体４３を背面側に押圧して閉じることにより、図１０（Ａ）に示すように、連動部材４６を介してガイド部材４９Ｂを内向きに押圧し、このガイド部材４９Ｂと一緒に第２保持部材６８および飲料抽出パック１Ｂを本体カバー３３内に収容させる。
【００６３】
そして、図示のように、ガイド部材４９Ｂの軸部５９が本体カバー３３のガイドリブ４２ｂに当接すると、ついで、図１０（Ｂ）に示すように、ガイド部材４９Ｂが上向きに移動する。その結果、飲料抽出パック１Ｂのノズル部７が注入用針２２によって突き破られ、その後、本体カバー３３の前面開口が蓋体４３によって完全に閉塞される。
【００６４】
このように、本実施形態の飲料抽出機は、本体ユニット１０をパック装着ユニット３２Ａ，３２Ｂと分割して形成しているため、ユーザは、使用する飲料抽出パック１Ａ，１Ｂのタイプに応じて選択的にパック装着ユニット３２Ａ，３２Ｂを装着し、本体ユニット１０は共用することができる。即ち、異なるパック装着機構を有する２種の飲料抽出機を購入する必要はないため、安価に２種の飲料抽出パック１Ａ，１Ｂを使用することができる。
【００６５】
また、パック装着機構部３７は、飲料の抽出部分であるため非常に汚れ易い部分であるが、本実施形態では、本体ユニット１０とパック装着ユニット３２Ａ，３２Ｂとが別体であるうえ、電気部品を用いていないため、水で丸洗いすることが可能であり、清掃性も向上できる。
【００６６】
さらに、本発明の飲料抽出機では、電動式の駆動機構を適用することなく、飲料抽出パック１Ａ，１Ｂを所定の保持部材６１，６８を介してガイド部材４９Ａ，４９Ｂに配置することにより、蓋体４３を閉じるだけで、その閉じ動作に連動させて飲料抽出パック１Ａの蓋シートおよび底を突き破るようにして、注入用針２２および抽出用針５６を貫通させ、また、飲料抽出パック１Ｂのノズル部７を注入用針２２で貫通させることができる。そのため、製品自体を安価に提供することが可能になる。
【００６７】
しかも、本実施形態では、本体ユニット１０には、給水経路を構成する接続部材２１に弁２８を介設した排水管２７を分岐接続している。そのため、例えば、飲料抽出パック１Ａ，１Ｂ内のフィルタ３，６が目詰まりしていたり、注入用針２２や抽出用針５６による穴開け不良が生じている状態で、抽出スイッチ２４を操作することにより、給水経路に過剰な圧力が加わった場合、前記排水管２７を介してお湯を外部に排水することができる。また、排水管２７は、飲料を注ぐコップに排水されるように配管しているため、排水によって周囲が濡れることを防止できる。また、その配管構造は、ノーズ部１１ａから外部に配管するという簡単な構成であるため、簡単かつ安価に実施することができ、製品自体のコストアップを抑制できる。
【００６８】
図１１は、第２実施形態の飲料抽出機を示す。この第２実施形態では、注入用針２２をパック装着ユニット３２Ａの側に固定した点で、第１実施形態と大きく相違している。
【００６９】
具体的には、この第２実施形態の本体ユニット１０は、外装体１１内に配設する揚水管２０の上端に、継手部材として略Ｌ字形状をなすパッキン７１を配設し、このパッキン７１の接続端を外装体１１の正面から外部に露出させている。
【００７０】
また、パック装着ユニット３２Ａは、第１実施形態と同様に、本体カバー３３と、ガイド部材４９Ａと、第１保持部材６１とを備えている。そして、前記本体カバー３３の内部には、前記パッキン７１を介して揚水管２０に着脱可能に接続することにより給水経路の一部を構成する接続管７２が配設されている。そして、この接続管７２には、弁２８を介設した排水管２７が分岐接続されている。また、接続管７２の先端には、接続部材２１を介して前記注入用針２２が固定されている。なお、この第２実施形態のパック装着ユニット３２Ａには、前記第１実施形態に示す挿通溝３９は設けていない。
【００７１】
なお、図１１は一方のパック装着ユニット３２Ａを装着した構成としているが、同様にしてパック装着ユニット３２Ｂも形成することができる。このように構成した第２実施形態の飲料抽出機では、前記第１実施形態と同様の作用および効果を得ることができる。
【００７２】
図１２から図１７は第３実施形態の飲料抽出機を示す。この飲料抽出機は、本体カバー３３のパック装着機構部８０の上下面を開口し、その上面開口に開閉可能に蓋体８３を装着し、この蓋体８３に注入用針２２を固定した点で、第１実施形態と大きく相違している。
【００７３】
具体的には、第３実施形態の本体ユニット１０は、その外装体１１にノーズ部１１ａを設けない構成としている。そして、制御基板２３は、外装体１１の正面側上部に配設されるとともに、その上方に抽出スイッチ２４が配設されている。また、この本体ユニット１０は、第２実施形態と同様に、外装体１１内に配設する揚水管２０の上端に、継手部材として略Ｌ字形状をなすパッキン７１を配設し、このパッキン７１の接続端を外装体１１の正面から外部に露出させている。
【００７４】
飲料抽出パック１Ａを装着する第３実施形態のパック装着ユニット３２Ａは、図１３に示すように、第１実施形態のパック装着ユニット３２Ａと同様に、本体カバー３３を備えている。この本体カバー３３は、第１実施形態と同様に、背部の装着部３４に、台座部３６とパック装着機構部８０とを一体的に設けたもので、前記パック装着機構部８０の構成が第１実施形態と大きく相違している。また、第２実施形態と同様に、前記第１実施形態に示す挿通溝３９は設けていない。
【００７５】
前記パック装着機構部８０は、第１実施形態と略同様のガイド部材４９Ａおよび第１保持部材６１を装着するものである。なお、以下の説明では、同一構成の部分は同一符号を付して詳細な説明は省略し、相違部分のみを説明する。
【００７６】
第３実施形態のパック装着機構部８０は、前述のように上面および下面を開口したもので、その背部の上面開口にヒンジ接続部８１を設け、このヒンジ接続部８１に開閉可能に蓋体８３を装着したものである。このパック装着機構部８０には、両側壁の内面に、第１実施形態に示す溝状軸受部４１およびガイドリブ４２ａ．４２ｂの代わりに、ガイド部材４９Ａを移動不可能な状態に固定する一対の固定穴８２が設けられている。
【００７７】
前記蓋体８３は、パック装着機構部８０のヒンジ接続部８１に交互に噛み合うようにヒンジ接続部８４を設けたものである。この蓋体８３には、注入用針２２が貫通させて固定されている。なお、本実施形態の注入用針２２は、図１４に示すように、接続部材として軟質なチューブ８５によって給水経路を構成する揚水管２０に接続されている。また、注入用針２２には、飲料抽出パック１Ａの蓋シート４に圧接してシールするパッキン８６が配設されている。さらに、この蓋体８３には、飲料抽出パック１Ａの直径と略同一直径のスプリング８７が固定されるとともに、該スプリング８７の先端に円環状の押板８８が固定されている。
【００７８】
また、第３実施形態のパック装着機構部８０の内部には、第２実施形態と同様に、一端が本体カバー３３の背面から突出し、前記本体ユニット１０のパッキン７１を介して揚水管２０に着脱可能に接続することにより給水経路の一部を構成する接続管７２が配設されている。そして、この接続管７２には、前記注入用針２２に接続したチューブ８５が接続されるとともに、弁２８を介して排水管２７が分岐接続されている。
【００７９】
前記ガイド部材４９Ａは、第１実施形態と同様に、ベース部５０と側壁部５７とからなり、その側壁部５７に、第１実施形態に示す軸部５８および軸部５９の代わりに前記固定穴８２に固定される固定軸８９を設けた点でのみ、第１実施形態と相違している。即ち、本実施形態では、この別体からなるガイド部材４９Ａを介して前記パック装着機構部８０の底に、飲料抽出パック１Ａの底を貫通させる抽出用針５６を貫通させて固定するとともに、後述する第１保持部材６１を上向きに付勢するスプリング５３を配設している。なお、この第３実施形態では、第１実施形態に示す連動部材３４は設けていないため、このガイド部材４９Ａは、前記蓋体８３の開閉動作には連動しない。
【００８０】
前記第１保持部材６１は第１実施形態と同一構成であり、前記ガイド部材４９Ａを介してパック装着機構部８０に対して上下方向に移動可能に装着されている。
【００８１】
なお、本実施形態では、前記蓋体８３に固定したスプリング８７の付勢力は、第１保持部材６１を上向きに付勢するスプリング５３の付勢力より強く設定している。また、パック装着機構部８０と蓋体８３には、完全に閉塞した状態で前記スプリング５３，８７の付勢力によって蓋体８３が開放することを防止するために、図示しない周知のロック機構が設けられている。
【００８２】
また、飲料抽出パック１Ｂを装着する第３実施形態のパック装着ユニット３２Ｂは、図１６に示すように、前記パック装着ユニット３２Ａと略同様のパック装着機構部８０の上端開口に開閉可能な蓋体８３を設け、また、その内部に第１実施形態に示すガイド部材４９Ｂと第２保持部材６８とを装着したものである。
【００８３】
なお、パック装着ユニット３２Ｂのパック装着機構部８０は、蓋体８３にパッキン８６、スプリング８７および押板８８を設けない構成とした点でのみ、前記パック装着ユニット３２Ａと相違している。また、前記ガイド部材４９Ｂは、ガイド部材４９Ａと同様に、第１実施形態に示す軸部５８および軸部５９の代わりに、パック装着機構部８０の固定穴８２に固定される固定軸８９を設けた点でのみ、第１実施形態のガイド部材４９Ｂと相違している。さらに、第２保持部材６８は、第１実施形態と同一である。そのため、同一構成の部分は同一符号を付して詳細な説明は省略する。
【００８４】
次に、この飲料抽出機の使用方法について説明する。
まず、飲料抽出パック１Ａを用いてコーヒーなどの飲料を抽出する場合、ユーザは、パック装着ユニット３２Ａを本体ユニット１０に装着する。
【００８５】
そして、図１４（Ａ）に示すように、パック装着ユニット３２Ａの蓋体８３を開いた状態とする。この状態で、大きく開口したパック装着機構部８０の上端開口より、第１実施形態と同様に、フランジ部材６６を介して飲料抽出パック１Ａを第１保持部材６１に配置する。即ち、第１保持部材６１を介して飲料抽出パック１Ａを本体カバー３３のパック装着機構部８０内に装着する。
【００８６】
ついで、ユーザは、開いた状態の蓋体８３を回動させて閉じる。これにより、図１４（Ｂ）に示すように、蓋体８３に固定した押板８８が飲料抽出パック１Ａに当接する。
【００８７】
そして、ユーザは、蓋体８３を更に回動させることにより、図１５（Ａ）に示すように、スプリング８７とスプリング５３との付勢力の設定により、スプリング５３の付勢力に抗して第１保持部材６１がガイド部材４９Ａに対して下向きに移動する。このように第１保持部材６１が下降すると、第１実施形態と同様に、ガイド部材４９Ａに固定した抽出用針５６が第１保持部材６１の貫通孔６３を通って、飲料抽出パック１Ａの容器２の底を突き破る。なお、スプリング８７は、そのヒンジ接続部８１，８４に最も近い部分に押圧する力が集中するため、その側が若干付勢力に抗して収縮する。
【００８８】
そして、図１５（Ｂ）に示すように、蓋体８３をパック装着機構部８０に完全に閉じ、これらをロック機構によってロックすると、蓋体８３に固定した注入用針２２が飲料抽出パック１Ａの蓋シート４を突き破る。この際、この注入用針２２は、蓋体８３に固定されているため、蓋シート４に当接した位置から引き裂くことになる。しかし、本実施形態では、前記注入用針２２にパッキン８６を配設しているため、このパッキン８６によって引き裂いた基点を含む領域を確実に密閉することができる。
【００８９】
一方、飲料抽出パック１Ｂを用いてコーヒーなどの飲料を抽出する場合、ユーザは、前記パック装着ユニット３２Ａの場合と同様にしてパック装着ユニット３２Ｂを本体ユニット１０に離脱不可能に装着する。
【００９０】
そして、図１７（Ａ）に示すように、パック装着ユニット３２Ａの蓋体８３を開いた状態とし、この状態で、第２保持部材６８を介して飲料抽出パック１Ｂをガイド部材４９Ｂに配置することにより、飲料抽出パック１Ｂを本体カバー３３のパック装着機構部８０内に配置する。
【００９１】
その後、前記と同様に、蓋体８３を閉じることにより、該蓋体８３から突出した注入用針２２によって、飲料抽出パック１Ｂのノズル部７を突き破り、その後、完全に閉塞された本体カバー３３と蓋体８３とをロック機構によってロックする。
【００９２】
このように、第３実施形態の飲料抽出機は、第１実施形態と同様に、本体ユニット１０をパック装着ユニット３２Ａ，３２Ｂと分割して形成しているため、ユーザは、使用する飲料抽出パック１Ａ，１Ｂのタイプに応じて選択的にパック装着ユニット３２Ａ，３２Ｂを装着し、本体ユニット１０は共用することができる。そのため、安価に２種の飲料抽出パック１Ａ，１Ｂを使用することができる。
【００９３】
また、第１実施形態と同様に、電動式の駆動機構を適用することなく、蓋体８３を閉じるだけで、飲料抽出パック１Ａ，１Ｂを抽出可能な状態にセットできるうえ、水で丸洗いすることが可能であり、清掃性も向上できるなど、同様の作用および効果を得ることができる。
【００９４】
図１８は第４実施形態の飲料抽出機を示す。この第４実施形態では、注入用針２２を本体ユニット１０の側に固定した点で、第３実施形態と大きく相違している。
【００９５】
具体的には、この第４実施形態の本体ユニット１０は、外装体１１内の正面上部に前方に突出するノーズ部１１ａが設けられている。そして、本実施形態では、このノーズ部１１ａを本体ユニット１０の外装体１１とは別体に形成され、ヒンジ接続部９０によって図中時計回りに回動可能に装着されている。外装体１１とノーズ部１１ａには、互いに対向する貫通孔９１が設けられている。
【００９６】
また、前記ノーズ部１１ａの内部には、第１実施形態と同様に、制御基板２３および抽出スイッチ２４が配設され、外装体１１の内部のヒータ１４，１５、ポンプ１６，１７および三方弁１８と前記貫通孔９１を通してリード線９２によって接続されている。また、このノーズ部１１ａの下面には、前記注入用針２２が固定されている。この注入用針２２にはチューブ８５が接続され、このチューブ８５が前記貫通孔９１を通して揚水管２０に接続部材２１を介して接続されている。
【００９７】
なお、本実施形態では、揚水管２０に弁２８が介設され、この弁２８に継手部材として略Ｌ字形状をなすパッキン７１が配設されている。そして、このパッキン７１の接続端は、外装体１１の正面から外部に露出されている。
【００９８】
また、パック装着ユニット３２Ａは、第３実施形態と同様に、本体カバー３３のパック装着機構部８０の上下面を開口したもので、その上面開口には蓋体８３を設けず、前記ノーズ部１１ａによって閉塞するようにした点でのみ、相違している。また、排水管２７は、本体カバー３３の背面側から突出し、前記パッキン７１の接続端に直接着脱可能に装着される構成としている。
【００９９】
なお、図１８は一方のパック装着ユニット３２Ａを装着した構成としているが、同様にしてパック装着ユニット３２Ｂも形成することができる。このように構成した第４実施形態の飲料抽出機では、前記第３実施形態と同様の作用および効果を得ることができる。
【０１００】
なお、本発明の飲料抽出機は、前記実施形態の構成に限定されるものではなく、種々の変更が可能である。
【０１０１】
例えば、前記実施形態では、飲料抽出機を本体ユニット１０とパック装着ユニット３２Ａ，３２Ｂの２つに分割したが、図１９に示すように、パック装着ユニット３２Ａ，３２Ｂは下部の台座ユニット３２ａと上部の装着機構ユニット３２ｂとに更に分割し、その分割部分に互いに固定される被連結部９５および連結部（図示せず）とを設けた構成としてもよい。
【０１０２】
また、図２０に示すように、前記本体ユニット１０は、容量が異なる本体ユニット１０’を更に設け、使用人数に応じて本体ユニット１０，１０’を選択して購入できるようにしてもよい。この場合、図示のように、少容量の本体ユニット１０’の下部に配置するスペーサユニット９６を更に設け、本体ユニット１０，１０’で同一のパック装着ユニット３２Ａ，３２Ｂを使用できるようにすることが好ましい。
【０１０３】
さらに、前記実施形態では、本体ユニット１０に被連結部として装着孔２５を設けるとともに、パック装着ユニット３２Ａ，３２Ｂに連結部として装着片３５を設け、該装着片３５を装着孔２５に挿入してネジ挿通孔２６を通してネジ止めすることにより離脱不可能に装着したが、その装着構造はフック状の連結部と孔からなる被連結部によるものでもよく、種々の変更が可能である。
【０１０４】
また、前記第４実施形態では、ノーズ部１１ａを時計回りに回動するようにしたが、周知のスライド機構を設けることにより、上下方向に移動可能に設けてもよい。しかも、第１実施形態および第２実施形態に示す飲料抽出機においても、ノーズ部１１ａを回動可能または上下方向に移動可能に設けてもよい。このようにすれば、パック装着ユニット３２Ａ，３２Ｂを本体ユニット１０に装着する場合の作業性を向上できる。
【０１０５】
さらに、前記排水管２７を設ける構造は、本体ユニット１０とパック装着ユニット３２Ａまたは３２Ｂとを一体に形成した飲料抽出機に適用しても同様の作用、効果を得ることができる。即ち、外装体１１内に設けた内容器１３と、該内容器１３内に貯留した液体を加熱する加熱手段と、前記内容器１３内の液体を所定圧力で圧送する給水手段と、前記外装体１１の正面側に設けられ密閉された飲料抽出パック１Ａ，１Ｂを着脱可能に装着することによりその飲料抽出パック１Ａ，１Ｂに前記給水手段からの液体が給水経路を介して注入されるパック装着機構３７とを備えた飲料抽出機において、前記給水経路に、前記外装体１１の外部に排出する排水管２７を分岐接続するとともに、該排水管２７に所定圧力を越えると開く常閉の弁２８を介設した構成としてもよい。
【０１０６】
【発明の効果】
以上の説明から明らかなように、本発明の飲料抽出機では、本体ユニットをパック装着ユニットと分割して形成しているため、飲料の抽出部分であるため非常に汚れ易い部分であるパック装着ユニットの清掃性を向上できる。しかも、２種の飲料抽出パックに対応するパック装着ユニットを形成することにより、本体ユニットを共用し、安価に２種の飲料抽出パックを使用することができる。
【０１０７】
また、パック装着機構の蓋体を閉じることにより、その動作に連動して飲料抽出パックを抽出可能な状態にセットできるようにしているため、製品自体を安価に提供することが可能になる。しかも、電気部品を用いていないため、水で丸洗いすることが可能であり、清掃性をより向上することができる。
【図面の簡単な説明】
【図１】本発明の実施形態に係る飲料抽出機を示す分解斜視図である。
【図２】図１の飲料抽出機の装着状態を示す断面図である。
【図３】本体ユニットに設けた排水管の弁構造を示す断面図である。
【図４】容器タイプの飲料抽出パックを装着するパック装着ユニットを示す分解斜視図である。
【図５】図４のパック装着ユニットを示す断面図である。
【図６】（Ａ），（Ｂ）は図４のパック装着ユニットの動作を示す断面図である。
【図７】（Ａ），（Ｂ）は図６の続きの動作を示す断面図である。
【図８】シートタイプの飲料抽出パックを装着するパック装着ユニットを示す分解斜視図である。
【図９】図８のパック装着ユニットを示す断面図である。
【図１０】（Ａ），（Ｂ）は図８のパック装着ユニットの動作を示す断面図である。
【図１１】第２実施形態の飲料抽出機を示す断面図である。
【図１２】第３実施形態の飲料抽出機を示す断面図である。
【図１３】容器タイプの飲料抽出パックを装着する第３実施形態のパック装着ユニットを示す分解斜視図である。
【図１４】（Ａ），（Ｂ）は図１３のパック装着ユニットの動作を示す断面図である。
【図１５】（Ａ），（Ｂ）は図１４の続きの動作を示す断面図である。
【図１６】シートタイプの飲料抽出パックを装着する第３実施形態のパック装着ユニットを示す分解斜視図である。
【図１７】（Ａ），（Ｂ）は図１６のパック装着ユニットの動作を示す断面図である。
【図１８】第４実施形態の飲料抽出機を示す断面図である。
【図１９】本発明の飲料抽出機の変形例を示す分解斜視図である。
【図２０】本発明の飲料抽出機の他の変形例を示す分解斜視図である。
【図２１】（Ａ）は容器タイプの飲料抽出パックを示す断面図、（Ｂ）はシートタイプの飲料抽出パックを示す一部を破断した正面図である。
【符号の説明】
１Ａ，１Ｂ…飲料抽出パック、１０…本体ユニット、１１…外装体、１１ａ…ノーズ部、１２…蓋、１３…内容器、１４，１５…ヒータ（加熱手段）、１６…液体圧送ポンプ（給水手段）、１７…気体圧送ポンプ、２０…揚水管（給水経路）、２２…注入用針、２７…排水管、２８…弁、３２Ａ，３２Ｂ…パック装着ユニット、３３…本体カバー、３４…装着部、３６…台座部、３７…パック装着機構部、４３…蓋体、４６…連動部材、４９Ａ，４９Ｂ…ガイド部材、５６…抽出用針、６１…第１保持部材、６８…第２保持部材。
【図１】
2004173823.tif 000003
【図２】
2004173823.tif 000004
【図３】
2004173823.tif 000005
【図４】
2004173823.tif 000006
【図５】
2004173823.tif 000007
【図６】
2004173823.tif 000008
【図７】
2004173823.tif 000009
【図８】
2004173823.tif 000010
【図９】
2004173823.tif 000011
【図１０】
2004173823.tif 000012
【図１１】
2004173823.tif 000013
【図１２】
2004173823.tif 000014
【図１３】
2004173823.tif 000015
【図１４】
2004173823.tif 000016
【図１５】
2004173823.tif 000017
【図１６】
2004173823.tif 000018
【図１７】
2004173823.tif 000019
【図１８】
2004173823.tif 000020
【図１９】
2004173823.tif 000021
【図２０】
2004173823.tif 000022
【図２１】
2004173823.tif 000023